(57)【要約】【課題】  貨物集配所等における貨物専用エレベータ出入口付近に設けてあるシャッタの案内レールに対して、障害物を置き難くすると共に、障害物が置かれても案内レール付近まで簡単に移動しないようにするシャッタ案内レール保護装置を提供すること。【解決手段】  シャッタ案内レール保護装置１０は、貨物集配所等１における貨物専用エレベータ出入口付近５に設けてあるシャッタ３の案内レール４を保護する。保護装置１０は、貨物専用エレベータ出入口付近５の壁面において、Ｌ字形アングル材１１を案内レール４の両側位置および対向位置に締結具１２によって固定した構造になっている。Ｌ字形アングル材１１の外面にはマーカ１３を設けてもよい。【選択図】  図１
0003116748.tif 000002
【実用新案登録請求の範囲】
【請求項１】
貨物集配所等における貨物専用エレベータ出入口付近に設けてあるシャッタの案内レールを保護する装置であって、前記貨物専用エレベータ出入口付近壁面において、Ｌ字形アングル材を案内レールの幅方向両側位置におよび案内レールの対向位置に締結具によって固定した構造のシャッタ案内レール保護装置。
【請求項２】
前記Ｌ字形アングル材の外面にマーカを設けた、請求項１に記載のシャッタ案内レール保護装置。
【考案の詳細な説明】
【技術分野】
【０００１】
本考案は、シャッタ案内レール保護装置に関し、特に、貨物集配所等における貨物専用エレベータ出入口付近に設けられたシャッタの案内レールを保護する装置に関する。
【背景技術】
【０００２】
図１および図５に示すように、多種多様の貨物を取り扱う物流倉庫、百貨店、スーパーマーケット等の貨物集配所等１においては、貨物専用のエレベータ２が設けられている。エレベータ２の安全運転を確保するために、エレベータ２の出入口付近５にはシャッタ３が設けられている。シャッタ３の案内レール４は、エレベータ出入口付近５の壁面に一部埋め込まれている。
【０００３】
貨物の集積・整理・梱包・発送等の繁雑、多忙な作業のために、作業者は貨物、貨物搬送用台車、清掃用具（例えば、箒、モップ等）、集配・梱包工具等の障害物Ｘ（図５）をエレベータ２の出入口付近５に安易に一時的に仮置きする場合がある。これら障害物Ｘが不用意にそのまま放置され、時には転倒することもある。エレベータ出入口付近５は登りまたは下りの緩い傾斜が設けられていることもあるので、これら障害物Ｘの転倒、移動等がしばしば発生し、貨物台車をエレベータ２に出し入れするさい、またはシャッタ３を開閉するさいに作業を妨害する。
【０００４】
このような事故を未然に防ぐために、図５に示すように、シャッタ３の最下端に圧力センサ６を取り付け、圧力センサ６が障害物Ｘに接触したときに、シャッタ３の下降を停止する安全装置が設けられているものもある。しかし、圧力センサ６の長手方向両端と案内レール４の端面との間には、シャッタ３の移動を円滑にするために、間隙Ｇが通常は設けられている。特に、この間隙Ｇ内に、図示のように、例えば、矩形板材Ｘ１を不注意に立てかけた状態でシャッタ３を閉めてしまうことがあり、このような場合、圧力センサ６は板材Ｘ１を感知せず、安全装置の機能は発揮されない。
【考案の開示】
【考案が解決しようとする課題】
【０００５】
本考案の課題は、貨物集配所等における貨物専用エレベータ出入口付近に設けてあるシャッタの案内レールに対して、障害物を置き難くすると共に、障害物が置かれても案内レール付近まで簡単に移動しないようにするシャッタ案内レール保護装置を提供することにある。
【課題を解決するための手段】
【０００６】
本考案に基づくシャッタ案内レール保護装置は、貨物集配所等における貨物専用エレベータ出入口に設けてあるシャッタの案内レールを保護する装置であって、貨物専用エレベータ出入口付近壁面において、Ｌ字形アングル材を案内レールの幅方向両側位置および案内レールの対向位置に締結具によって固定した構造になっている。
【０００７】
Ｌ字形アングル材の外面には人の注意を喚起するためのマーカを設けることが好ましい。マーカはＬ字形アングル材の外面に貼付される着色シールもしくは蛍光着色シール、またはＬ字形アングル材の外面に塗布される着色剤もしくは蛍光着色剤でもよい。締結具はアンカーボルトとナットを含んでいてもよい。
【考案の効果】
【０００８】
本考案のシャッタ案内レール保護装置によれば、Ｌ字形アングル材が案内レールの両側に設けられるので、障害物が案内レールと干渉することはなく、また、障害物を案内レール付近に置き難くする。さらに、障害物が案内レール付近まで不用意に移動することもない。Ｌ字形アングル材の外面に設けたマーカは暗所でも視認でき、作業者に対して警告標識の働きもする。したがって、シャッタの安全開閉および貨物専用エレベータの安全運転も確保され、エレベータへの搬送台車の出し入れも安全、迅速に行える。
【考案を実施するための最良の形態】
【０００９】
次に、図１−４を参照して、本考案に基づくシャッタ案内レール保護装置の実施例について説明する。図１に示すように、本考案に基づくシャッタ案内レール保護装置１０は、貨物集配所１等における貨物専用エレベータ出入口付近５に設けてあるシャッタ３の案内レール４を保護する。保護装置１０は、図１および図４に示すように、エレベータ出入口付近５の壁面において、Ｌ字形アングル材１１を案内レール４の幅方向両側位置（図４参照）および案内レール４の対向位置（図１参照）に締結具１２によって固定した構造になっている。
【００１０】
Ｌ字形アングル材１１は、図２および図３に示すように、内側突出部１１ａと壁面への固定部１１ｂとからなり、固定部１１ｂには長手方向にそって所定の間隔で、ボルト穴１１１が設けられている。
【００１１】
図４に示すように、Ｌ字形アングル材１１の内側突出部１１ａおよび固定部１１ｂの外面にはマーカ１３を設けることが好ましい。マーカ１３はＬ字形アングル材１１の内側突出部１１ａおよび固定部１１ｂの外面に貼付される着色シールもしくは蛍光着色シール、またはＬ字形アングル材１１の内側突出部１１ａおよび固定部１１ｂの外面に塗布される着色剤もしくは蛍光着色剤でもよい。Ｌ字形アングル材１１の内側突出部１１ａおよび固定部１１ｂの外面に設けたマーカ１３は暗所でも視認でき、作業者に対して警告標識の働きもする。尚、Ｌ字形アングル材１１の内側突出部１１ａおよび固定部１１ｂの長手方向の長さおよび幅、厚さは適宜変更が可能である。さらに、人のケガ防止のために、クッション材ＡをＬ字形アングル材１１の内側突出部１１ａの前部に長手方向に沿って設けたり、その前面部上端をアール形状にするのがよい。
【００１２】
締結具１２は、図４に示すように、貨物専用エレベータ出入口付近５の壁面に埋め込まれたアンカーボルト１２１とそれに着脱自在に螺合するナット１２２とを含んでいてもよい。
【産業上の利用可能性】
【００１３】
本考案のシャッタ案内レール保護装置は、貨物集配所の貨物専用エレベータ出入口付近に設けられるばかりではなく、一般のエレベータ出入口付近、一般のシャッタ出入口付近にも簡単に適用できる。
【図面の簡単な説明】
【００１４】
【図１】本考案のシャッタ案内レール保護装置を装備した貨物集配所の一部の平面図である。
【図２】図１のＩＩ−ＩＩ線から見たシャッタ案内レール保護装置を構成するアングル材の側面図である。
【図３】図２のアングル材の右端面図である。
【図４】図１のＩＶ−ＩＶ線から見たシャッタ案内レール保護装置の一部の斜視図である。
【図５】従来のシャッタの正面図である。
【符号の説明】
【００１５】
１        貨物集配所等                    ２        貨物専用エレベータ
３        シャッタ                        ４        案内レール
５        エレベータ出入口付近            ６        圧力センサ
１０      シャッタ案内レール保護装置      １１      Ｌ字形アングル材
１１ａ    内側突出部                      １１ｂ      固定部
１２      締結具                          １３      マーカ
１１１    ボルト穴                        １２１    アンカーボルト
１２２    ナット
Ａ        クッション材                    Ｇ        間隙
Ｘ        障害物                          Ｘ１      板材
【図１】
0003116748.tif 000003
【図２】
0003116748.tif 000004
【図３】
0003116748.tif 000005
【図４】
0003116748.tif 000006
【図５】
0003116748.tif 000007